(57)【要約】【課題】局部洗浄装置と便器のリムとの間に侵入した汚水を乾燥させて、臭気やカビ等の発生を防止する局部洗浄装置を提供する。【解決手段】便器１に取り付けられる局部洗浄装置７がリム３の上方かつ便器１の後方に設置されており、局部洗浄装置７内部に設けられた空気吐出部から延設された空気流路１２は局部用温風路１４とリム用温風路１５とを有しており、局部用温風路１４の終端部には局部を乾燥するための局部乾燥吹出口１６が、リム用温風路１５の終端部には局部洗浄装置７とリム３上面との隙間に温風が送風されるためのリム乾燥吹出口１７が設けられていて、空気流路１２には切替ダンパ１８が設けられ、切替ダンパ１８の切り替えによって、空気吐出部から送風された温風が局部乾燥吹出口１６および／またはリム乾燥吹出口１７から送風されることを特徴とする局部洗浄装置７。【選択図】  図１
2005307472.tif 000002
【特許請求の範囲】
【請求項１】
縁端部にリムを有する便鉢を備えた便器に取り付けられる局部洗浄装置において、
前記局部洗浄装置は前記リムの上方であって、前記便器の後方に設置されており、
前記局部洗浄装置内部には局部を洗浄するための洗浄部と、局部を乾燥および／または脱臭するための空気吐出部とが設けられていて、
前記洗浄部は温水を貯留するための温水タンクと、前記温水タンクから延設された温水路の終端部に設けられた温水吐出口とが設けられていて、
前記空気吐出部は温風を送風するための乾燥ヒーターと、乾燥ファンと、前記乾燥ファンから延設された空気流路とが設けられていて、
前記空気流路は局部用温風路とリム用温風路とを有しており、
前記局部用温風路の終端部には局部を乾燥するための局部乾燥吹出口が設けられていて、
前記リム用温風路の終端部には前記局部洗浄装置と前記リム上面との隙間に温風が送風されるためのリム乾燥吹出口が設けられていて、
前記空気流路には温風の送風路を前記局部用温風路または前記リム用温風路のどちらか、または両方に切り替えられる切替ダンパが設けられ、
前記切替ダンパの切り替えによって、前記空気吐出部から送風された温風が前記リム乾燥吹出口および／または前記局部乾燥吹出口から送風されることを特徴とする局部洗浄装置。
【請求項２】
前記局部洗浄装置と前記リム上面との間の隙間が３ｍｍ以下であって、
前記隙間の奥側から手前側に向かって温風が送風されることを特徴とする請求項１記載の局部洗浄装置。
【発明の詳細な説明】
【技術分野】
【０００１】
本発明は便器に付設される局部洗浄装置に関するものである。
【背景技術】
【０００２】
従来、男子が立位で小便をする時や局部洗浄装置の使用時において、飛散した汚水が便器のリム上面に付着してしまうことがあった。このようにリム上面に付着した汚水は布巾等で拭き取ればよい。しかし、手の届かないような狭い場所、例えば局部洗浄装置とリム上面との間に汚水が侵入してしまった場合、布巾ではなかなか拭き取ることができなかった。そこで、該隙間に侵入した汚水による汚れを拭き取り易くするために、局部洗浄装置をリム上面からより上方に離して設置し、リム上面と局部洗浄装置との間の隙間を広く設けてリム上面を拭き取り易くしたものが知られている。
【０００３】
また、局部洗浄装置で発生させた乾燥風を中空の便座内に送風し、該乾燥風は便座の裏面に開けられた穴からリム面に向けて吹き付けて、リム上面の汚水を乾燥させるものが知られている（例えば、特許文献１参照。）。
【特許文献１】特開平５-２５３０９４号公報
【発明の開示】
【発明が解決しようとする課題】
【０００４】
しかし、上記従来技術には以下のような課題がある。
【０００５】
すなわち、局部洗浄装置をリム上面からより上方に離して設置させた場合、局部洗浄装置とリム上面との隙間が広くなるため汚水が侵入し易くなる。また、狭いトイレ内での清掃は作業がしづらく、汚れの落ち具合を確認することは困難である。
【０００６】
また、特許文献１のように、便座の裏面からリム上面に向けて乾燥風を吹き付けるものの場合、局部洗浄装置とリム上面との隙間には、便座の裏面からの乾燥風は届きにくく、該隙間に侵入した汚水を十分に乾燥させることは困難である。
【０００７】
本発明は上記課題に鑑みてなしたもので、その目的は、局部洗浄装置と便器のリムとの間に侵入した汚水を乾燥させて、臭気やカビ等の発生を防止する局部洗浄装置を提供することにある。
【課題を解決するための手段】
【０００８】
請求項１に係る発明の局部洗浄装置は、縁端部にリムを有する便鉢を備えた便器に取り付けられる局部洗浄装置において、前記局部洗浄装置は前記リムの上方であって、前記便器の後方に設置されており、前記局部洗浄装置内部には局部を洗浄するための洗浄部と、局部を乾燥および／または脱臭するための空気吐出部とが設けられていて、前記洗浄部は温水を貯留するための温水タンクと、前記温水タンクから延設された温水路の終端部に設けられた温水吐出口とが設けられていて、前記空気吐出部は温風を送風するための乾燥ヒーターと、乾燥ファンと、前記乾燥ファンから延設された空気流路とが設けられていて、前記空気流路は局部用温風路とリム用温風路とを有しており、前記局部用温風路の終端部には局部を乾燥するための局部乾燥吹出口が設けられていて、前記リム用温風路の終端部には前記局部洗浄装置と前記リム上面との隙間に温風が送風されるためのリム乾燥吹出口が設けられていて、前記空気流路には温風の送風路を前記局部用温風路または前記リム用温風路のどちらか、または両方に切り替えられる切替ダンパが設けられ、前記切替ダンパの切り替えによって、前記空気吐出部から送風された温風が前記リム乾燥吹出口および／または前記局部乾燥吹出口から送風されることを特徴とする。
【０００９】
請求項２に係る発明の局部洗浄装置は、請求項１記載の局部洗浄装置において、前記局部洗浄装置と前記リム上面との間の隙間が３ｍｍ以下であって、前記隙間の奥側から手前側に向かって温風が送風されることを特徴とする。
【発明の効果】
【００１０】
請求項１に係る発明の局部洗浄装置によれば、局部洗浄装置とリム上面との間の隙間に直接乾燥風を送風するためのリム乾燥吹出口が設けられていることにより、僅かな該隙間に侵入した汚水であっても乾燥することができて、臭気やカビの発生を抑えることができる。
【００１１】
請求項２に係る発明の局部洗浄装置によれば、局部洗浄装置とリム上面との隙間を３ｍｍ以下にすることで、飛び散った汚水が侵入し難くなると共に、例え局部洗浄装置の前面部に飛び散った汚水が重力により下方に流れ落ちてきて、該隙間に侵入しようとしても、水の表面張力により該隙間の奥側に侵入することがない。該隙間の前面部に侵入した汚水は、奥側から手前側にかけての送風される乾燥風により、容易に吹き飛ばされて乾燥される。
【発明を実施するための最良の形態】
【００１２】
以下、本発明を実施形態に基づいて説明する。
【００１３】
ここで、便器における手前側とは便器使用者側にあたる方向をいう。また、局部洗浄装置の前面部とは便器使用者側に当たる面のことを指す。
【００１４】
図１は本発明の局部洗浄装置が取り付けられた便器１の斜視図である。図１に例示したように、便所の床面に便器１が備えられ、便器１の手前側には用を足すための便鉢２が設けられていて、便鉢２の上部縁端にはリム３が設けられている。便鉢２の上方には便器１の奥側の便座回動軸（図示せず）を中心として回動されて、リム３上面に倒伏される便座４が設けられており、さらに便座４の上方には便器１の奥側の便蓋回動軸（図示せず）を中心として回動されて、便座４上面に倒伏される便蓋５が設けられている。さらに、便器１の最奥側には便鉢２内を洗浄する水を貯留しておくための水洗タンク６が設置されている。
【００１５】
便鉢２、便座４および便蓋５と水洗タンク６との間には局部洗浄装置７が設けられている。局部洗浄装置７内部には大きく分けて使用者の局部を洗浄するための洗浄部と、局部を乾燥および／または脱臭するための空気吐出部とが設けられている。
【００１６】
図２は本発明の局部洗浄装置を拡大したものであって、側面から見た断面図である。局部洗浄装置７、洗浄部および空気吐出部の各部を図１および図２を用いて以下に説明する。
【００１７】
図２に例示したように、局部洗浄装置７は便鉢２の奥側であって、リム３の上面に設置される。既存の便器１に局部洗浄装置７を取り付ける場合は、既存の便座４および便蓋５を取り外し、局部洗浄装置７と便座４と便蓋５とが一体に取り付けられたものを、新たに便器１に取り付けるとよい。局部洗浄装置７はリム３上面であって、便器１の後方に設置されるが、局部洗浄装置７とリム３上面との間には隙間（Ｇ）を開けておくのがよい。該隙間（Ｇ）を開けておくことで局部洗浄装置７とリム３上面との間を清潔に保つことができる。リム３上面と局部洗浄装置７との間の床面と略垂直方向の隙間（Ｇ）は３ｍｍ以下であって、リム３上面と接しないようにするのがよい。
【００１８】
次に洗浄部について図１および図２に基づいて説明する。図２に例示したように、洗浄部内部には局部洗浄用温水を貯留しておく温水タンク８と、該温水タンク８から延設された温水タンク９内に貯留された温水を排出するための温水路９とが延設されている。図１に例示したように、温水路９の終端部は便鉢２内部奥側に位置しており、温水路９の末端部には温水吐出口１０が設けられている。
【００１９】
次に空気吐出部について図１および図２に基づいて説明する。図１に例示したように、空気吐出部内部には乾燥風を送り出すための乾燥ファン１１が設けられている。乾燥ファン１１からは空気流路１２が延設されており、空気流路１２の途中には乾燥ファン１１から送られてきた乾燥風を暖める乾燥ヒーター１３が設けられている。空気流路１２の途中には殺菌効果が得られるような装置を設けておくとよい。空気流路１２の途中からは、使用者の局部を乾燥させるための乾燥風が送風される局部用温風路１４と、リム３上の汚水を乾燥させるための乾燥風が送風されるリム用温風路１５とが分かれて設けられている。
【００２０】
局部用温風路１４の終端部は便鉢２内部奥側に位置しており、局部用温風路１４の末端部には局部乾燥吹出口１６が設けられており、該局部乾燥吹出口１６からは局部用温風路１４内を通ってきた温風が吹き出されて、使用者の局部の乾燥、脱臭を行ったりする。
【００２１】
リム用温風路１５は途中から二つの流路に分かれて、便器１の両側端にあたるリム３上面方向に向かってそれぞれ延設されるとよい。それぞれのリム用温風路１５の終端部には、温風を吹き出すためのリム乾燥吹出口１７が各々に設けられている。図２に例示したように、リム乾燥吹出口１７は、局部洗浄装置７におけるリム３上面近傍に設けられており、局部洗浄装置７とリム３上面との間に設けられた隙間（Ｇ）において、手前側から奥側に向かってみた時の突き当たりに設けられているとよい。リム乾燥吹出口１７から送り出された温風は、隙間（Ｇ）に便器１の奥側から手前側に向かって直接送風されて隙間（Ｇ）に侵入した汚水を乾燥させることができる。ここで、隙間（Ｇ）の床面と略垂直方向における高さが３ｍｍ以下で、リム３上面と局部洗浄装置７とが接していない状態となっていることより、男子が立位で小便をした時に飛び散った汚水や、座位で局部洗浄装置７を稼動させた時に、飛び散った汚水が隙間（Ｇ）に入り込み難くなる。さらに、汚水が局部洗浄装置７の前面部に飛び散ってしまい、汚水が重力により垂れ流れてきた時に、局部洗浄装置７の下部に達して、局部洗浄装置７とリム３との間の隙間（Ｇ）に侵入しようとしても、該隙間（Ｇ）は３ｍｍ以下と狭いため、水の表面張力により隙間（Ｇ）の奥側にまで侵入することができない。隙間（Ｇ）の前面部に侵入した汚水は、リム乾燥吹出口１７から送風される温風によって隙間（Ｇ）外部に排出されたり、乾燥されたりする。このようにして外部に排出された汚水は簡単に拭き取ることができる。
【００２２】
図１および図２に例示したように、空気流路１２から分かれた局部用温風路１４とリム用温風路１５との分かれ目には、温風を局部用温風路１４のみに送風したり、リム用温風路１５のみに送風したり、あるいは局部用温風路１４およびリム用温風路１５の両方に送風することを選択できる、送風路切り替え用の切替ダンパ１８が設けられている。
【００２３】
図３（ａ）〜（ｃ）は切替ダンパ１８の切り替え状態を示した動作図である。図３（ａ）は温風が局部乾燥吹出口１６から吹き出される時の動作図であって、（ｂ）は温風がリム乾燥吹出口１７から吹き出される時の動作図であって、（ｃ）は温風が局部乾燥吹出口１６とリム乾燥吹出口１７との両方から吹き出される時の動作図である。
【００２４】
ここで、切替ダンパ１８の作用について図３に基づいて説明する。図３（ａ）において、切替ダンパ１８は局部用温風路１４とリム用温風路１５の分かれ目において、ダンパ用回転軸１９を軸芯として回転されるのがよい。切替ダンパ１８の切り替え動作はダンパ用ソレノイド２０によって作動するとよい。ダンパ用ソレノイド２０は、制御部２１によって制御される。切替ダンパ１８がリム用温風路１５を完全に封鎖している場合には、局部用温風路１４のみに温風が送られることになり、局部乾燥吹出口１６からのみ温風が吹き出されることになる。
【００２５】
図３（ｂ）において、切替ダンパ１８が局部用温風路１４を完全に封鎖している場合には、リム用温風路１５のみに温風が送られることになり、リム乾燥吹出口１７からのみ温風が吹き出されることになる。
【００２６】
図３（ｃ）において、切替ダンパ１８が局部用温風路１４とリム用温風路１５との中間に位置し、局部用温風路１４とリム用温風路１５との双方に温風を送ることができる場合には、局部乾燥吹出口１６とリム乾燥吹出口１７との両方から温風が吹き出されることになる。
【００２７】
以上のような切替ダンパ１８の作動は、温風切替ボタンを別途設け、該温風切替ボタンによって切替ダンパ１８の位置が変わるようにするとよい。しかし、リム３上面の汚水を乾燥させるには時間を要するため、図３（ｂ）または（ｃ）においては一定時間間隔で温風を吹き出させる制御を行うことが好ましい。また、トイレ内に人体検知センサーを設けておき、トイレ使用者の入室回数を検知して、入室回数に応じて自動的に温風が吹き付けがＯＮ，ＯＦＦ制御されるようにするとよい。
【００２８】
本発明は以上のような便器１のみならず、水洗タンク６を設けない便器等にも有効である。また、切替ダンパ１８の作動方法はソレノイドを用いることにこだわらずとも、切替ダンパ１８が温風の送風経路を切り替えることができるようならば、その方法の如何は問わない。
【図面の簡単な説明】
【００２９】
【図１】本発明の局部洗浄装置の外観を示した斜視図である。
【図２】本発明の局部洗浄装置の断面図である。
【図３】本発明の局部洗浄装置における切替ダンパの動作を示した動作図である。
【符号の説明】
【００３０】
１．便器
２．便鉢
３．リム
４．便座
５．便蓋
６．水洗タンク
７．局部洗浄装置
８．温水タンク
９．温水路
１０．温水吐出口
１１．乾燥ファン
１２．空気流路
１３．乾燥ヒーター
１４．局部用温風路
１５．リム用温風路
１６．局部乾燥吹出口
１７．リム乾燥吹出口
１８．切替ダンパ
１９．ダンパ用回転軸
２０．ダンパ用ソレノイド
２１．制御部
【図１】
2005307472.tif 000003
【図２】
2005307472.tif 000004
【図３】
2005307472.tif 000005